(57)【要約】      （修正有）【課題】展望用エレベータなどの外部から昇降路内が見えるエレベータに用いても美観を損うことなく、また設置が容易で既存の建物にも用いることができるエレベータの収納式作業足場装置を得る。【解決手段】昇降路内の乗場敷居２の下部に設けられたトーガード５及び昇降路の乗場側壁面部１２の間に畳み込まれた足場プレート８と、所定時にこの足場プレートを展開し該足場プレートの踏み面８ａを略水平方向に保持する展開手段９とを備える。【選択図】図６
2006315819.tif 000002
【特許請求の範囲】
【請求項１】
昇降路内の乗場敷居の下部に設けられたトーガード及び昇降路の乗場側壁面部の間に畳み込まれた足場プレートと、所定時にこの足場プレートを展開し該足場プレートの踏み面を略水平方向に保持する展開手段と、を備えてなることを特徴とするエレベータの収納式作業足場装置。
【請求項２】
上記トーガードは、上記足場プレートを展開したときに該足場プレートの昇降路奥壁側端部に起立されて安全柵として用いるようにしてなることを特徴とする請求項１に記載のエレベータの収納式作業足場装置。
【請求項３】
上記足場プレートは、上記トーガード及び昇降路の乗場側壁面部の間に畳み込まれたときに上記トーガードでカバーされてなることを特徴とする請求項１または請求項２に記載のエレベータの収納式作業足場装置。
【発明の詳細な説明】
【技術分野】
【０００１】
この発明は、保守作業時にエレベータ昇降路内で使用するためのエレベータの収納式作業足場装置に関する。
【背景技術】
【０００２】
従来、昇降路内に設置された乗場操作盤などの保守点検作業は、作業員がカゴ上から実施する場合があった。しかし足場が悪く活動範囲も制限されるため、実施できる作業は簡単なものに限定されていた。これに対し、昇降路内に可動式の作業足場を設置し、作業時に展開して使用する方式が提案されている（例えば特許文献１参照。）。また、昇降路内部の美観を損なわないように乗場の床下に収納する方式も提案されている（例えば特許文献２参照。）。
【０００３】
【特許文献１】特開２００２−４６９５１号公報（第１頁、図１）
【特許文献２】特開平８−９９７８１号公報（第１頁、図１）
【発明の開示】
【発明が解決しようとする課題】
【０００４】
しかし上記従来の特許文献１に示された方式では、昇降路内部が煩雑になり美観を損なうことから、展望用エレベータのように外部から昇降路内部が見える場合には適用が難しいという課題があった。また、特許文献２に開示された方式では、トーガード本体および駆動装置などの複雑な機器を乗場床下に内蔵する必要があるため、設置が必ずしも容易ではないという課題があった。
【０００５】
この発明は、上記のような従来技術の課題を解消するためになされたもので、展望用エレベータなどの昇降路が外から見えるエレベータに用いても昇降路の美観を損うことなく、また設置が容易で既存の建物にも用いることができるエレベータの収納式作業足場装置を得ることを目的としている。
【課題を解決するための手段】
【０００６】
この発明によるエレベータの収納式作業足場装置は、昇降路内の乗場敷居の下部に設けられたトーガード及び昇降路の乗場側壁面部の間に畳み込まれた足場プレートと、所定時にこの足場プレートを展開し該足場プレートの踏み面を略水平方向に保持する展開手段とを備えるようにしたものである。
【発明の効果】
【０００７】
この発明においては、トーガードと昇降路の乗場側壁面部の間に足場プレートを畳み込み、所定時、即ち使用するときのみ展開するようにしたことにより、常時は足場プレートがトーガードの背面側にあるため、美観を損なうことがなく必要なときに簡単に作業足場を確保できる。また、トーガードと昇降路の乗場側壁面部の間という既存のスペースを利用するので取り付けも容易である。
【発明を実施するための最良の形態】
【０００８】
実施の形態１．
図１〜図６はこの発明の実施の形態１によるエレベータの収納式作業足場装置の要部を概念的に説明するもので、図１は作業足場を収納したときの昇降路側から見た外観を全体構成で示す斜視図、図２は図１の足場プレートを背面側から見たときの収納状態を示す斜視図、図３、図４、及び図５は図２の足場プレートを展開するときの第１、第２、及び第３の過程をそれぞれ示す斜視図、図６は収納状態から展開完了までの動作を説明する側面図である。なお、各図を通じて同一符号は同一部分を示すものとする。図において、昇降路の乗場１３に対応する位置には、乗場ドア１、乗場敷居２、戸開閉装置３が設けられ、さらに乗場ドア１の横側部には乗場操作盤４が設けられ、乗場敷居２の下部にはトーガード５、及びフェッシャープレート６が設けられている。
【０００９】
収納式作業足場装置７は、通常のエレベータのサービス時には上記トーガード５と昇降路の乗場側壁面部１２との間に図２及び図６（ａ）に示すように畳み込まれており、図１の斜視図のような角度からは本体部分が表に表われず、後述する安全柵を兼ねているトーガード５の表面部のみが見えている状態となる。収納式作業足場装置７は、足場プレート８と、この足場プレート８の展開手段９と、安全柵を兼ねているトーガード５と、側方部の安全柵であるサイドパネル１０、１１からなっている。
【００１０】
上記展開手段９は、油圧シリンダからなる駆動装置９１と、詳細図示を省略している建物側の固定部に対し足場プレート８を乗場側端部で回動可能に支持するヒンジ９２ａと、駆動装置９１の一端部を乗場側壁面部１２に対して回動可能に支持する支軸９２ｂと、駆動装置９１の他端部を足場プレート８の側面部で枢支する枢軸９２ｃと、足場プレート８の使用時昇降路の奥壁側端部に奥壁側の安全柵を兼ねるトーガード５を起立させるためのヒンジ９２ｄと、トーガード５の両サイドに側方部の安全柵であるサイドパネル１０、１１をそれぞれ回動可能に固定するヒンジ９２ｅからなっている。なお、９１ａは駆動装置９１を構成するピストンである。また、上記のほか駆動装置９１としての油圧シリンダの駆動系やその制御装置などを備えているが、これらは公知の従来技術を適宜選択して用いることができる部分であるので図示を省略している。
【００１１】
次に、上記のように構成された実施の形態１の動作について説明する。先ず、図２及び図６（ａ）に示す収納状態から作業足場を展開させるときは、駆動装置９１に油圧を作用させてピストン９１ａを矢印Ａ（図３）の方向に伸長させて、足場プレート８をヒンジ９２ａを支点に図３及び図６（ｂ）に示すように矢印Ｂのように回動させ、足場プレート８の踏み面８ａが略水平になるように保持する。このとき、トーガード５も足場プレート８と共に回動して足場プレート８の上面を覆う格好となる。次に図４及び図６（ｃ）に示すようにトーガード５をヒンジ９２ｄを支点に矢印Ｃのように手動で回動させ、略垂直に起立させる。そして、図５及び図６（ｄ）に示すように、サイドパネル１０、１１を矢印Ｄ、Ｅのように同じく手動で回動させ、図示省略しているロック機構でロックさせて、展開を完了する。
【００１２】
なお、展開時の安全性を高めるために、展開した上記足場プレート８の回動方向に対するロック機構、安全柵を兼ねるトーガード５の起立位置でのロック機構を付加することは望ましい。また、乗場敷居２と足場プレート８の踏み面８ａとの間で段差があるように図示しているが、ヒンジ９２ａの構造や位置を変更することで、上記段差を無くし、あるいは所望の段差を形成するように構成することができることは自明である。上記のように収納式作業足場装置７を展開することにより、乗場ドア１、戸開閉装置３、乗場操作盤４などの保守点検作業を容易に行なうことができる。なお、展開した足場プレート８を畳み込むときは、上記展開時と全く逆の動作で収容することができる。
【００１３】
上記説明したように、この発明の実施の形態１によれば、トーガード５と昇降路の乗場側壁面部１２との間に足場プレート８を畳み込み、所定時、即ち使用するときのみ展開手段９によって展開するようにしたことにより、常時は足場プレート８がトーガード５の背面側にあるため、美観を損なうことがなく必要なときに簡単に作業足場を確保できる。また、トーガード５と昇降路の乗場側壁面部１２との間という既存のスペースを利用するので取り付けも容易である。さらにトーガード５を安全柵として機能させているので、有効に活用できる。このため、展望用エレベータのように外部から昇降路の内部が透視できるエレベータに用いても美観を損なうことがない。
【００１４】
なお、上記実施の形態１では駆動装置５として油圧シリンダを用いたが、もとよりこれに限定されるものではない。例えば、空気圧シリンダは勿論のこと、ボールネジ、歯車、ベルト、チェーン、各種リンク機構などを用いた電動式のアクチュエータなど公知の各種駆動手段を用いて構成してもよい。その他、この発明の精神の範囲内で種々の変形や変更が可能であることは言うまでもない。
【図面の簡単な説明】
【００１５】
【図１】この発明の実施の形態１によるエレベータの収納式作業足場装置の足場プレートを収納したときの昇降路側から見た外観を全体構成で示す斜視図。
【図２】図１の足場プレートを背面側から見たときの収納状態を示す斜視図。
【図３】図２の足場プレートを展開するときの第１の過程を示す斜視図。
【図４】図２の足場プレートを展開するときの第２の過程を示す斜視図。
【図５】図２の足場プレートを展開するときの第３の過程を示す斜視図。
【図６】図１の足場プレートの収納状態から展開完了までの動作を説明する側面図。
【符号の説明】
【００１６】
１  乗場ドア、  ２  乗場敷居、  ３  戸開閉装置、  ４  乗場操作盤、  ５  トーガード、  ６  フェッシャープレート、  ７  収納式作業足場装置、  ８  足場プレート、  ８ａ  踏み面、  ９  展開手段、  １０、１１  サイドパネル、  １２  乗場側壁面部、  １３  乗場、  ９１  駆動装置、  ９１ａ  ピストン、  ９２ａ  ヒンジ、  ９２ｂ  支軸、  ９２ｃ  枢軸、  ９２ｄ、９２ｅ  ヒンジ。
【図１】
2006315819.tif 000003
【図２】
2006315819.tif 000004
【図３】
2006315819.tif 000005
【図４】
2006315819.tif 000006
【図５】
2006315819.tif 000007
【図６】
2006315819.tif 000008